(57)【要約】【課題】プリントコイル基板を小型，軽量化し、これを用いた対物レンズ駆動装置の配線や組み付け効率の向上と、これを備えた光ピックアップおよび光ディスク装置の設計自由度を増して小型化と性能向上を図る。【解決手段】２層構成のプリントコイル基板の１層目，２層目の各層において、ランド部を持つ層と、この層に重なるもう一方の層とはスルーホール１２により配線され２つの層を合わせて１つのプリントコイル基板９を形成する。ランド部１０を設けた最外層（１層目）のコイルパターン１１と、隣接層（２層目）のコイルパターン１１の大きさを変える。ランド部１０を持つ層のコイルパターン１１は、同層内でランド部１０と重複しないように（上下方向）幅を小さくする。また、隣接するランド部１０を持たない層では、コイルパターン１１とランド部１０とが重なるようにして配線の長さを充分に取り、推力の低下を抑える。【選択図】図２
2005166219.tif 000002
【特許請求の範囲】
【請求項１】
対物レンズを駆動するためレンズ枠に備え、複数の各層に形成した渦巻き状のコイルパターンの末端と接続するランド部を最外層に設けたプリントコイル基板において、
前記ランド部を持つ層と、前記ランド部を持たない層とを、絶縁層を挟みかつ前記各層を垂直な方向に重ねて配置したことを特徴とするプリントコイル基板。
【請求項２】
前記ランド部を持つ層に形成したコイルパターンを、隣接する層に形成したコイルパターンよりも小さくしたことを特徴とする請求項１記載のプリントコイル基板。
【請求項３】
前記コイルパターンが、駆動に無効な部分の少なくとも一部の線幅と、駆動に有効な部分の線幅とが異なることを特徴とする請求項１記載のプリントコイル基板。
【請求項４】
前記コイルパターンが、５つ以上の辺を持つ多辺形形状として、ランド部の配設位置を避けて形成したことを特徴とする請求項１記載のプリントコイル基板。
【請求項５】
前記コイルパターンを形成した層数を奇数で構成し、前記コイルパターン内側の末端を、ランド部を持つ層とスルーホールを介して、前記ランド部を持つ層上で前記ランド部と接続したことを特徴とする請求項１記載のプリントコイル基板。
【請求項６】
前記ランド部を持つ層上で前記ランド部と重複する位置に形成のコイルパターンを奇数の層数で構成し、前記ランド部と重複しない位置に形成のコイルパターンを偶数の層数で構成したことを特徴とする請求項５記載のプリントコイル基板。
【請求項７】
同一層に形成した前記コイルパターン同士を接続する場合に、ランド部を持つ最外層において前記コイルパターン内側の末端とランド部間を接続したことを特徴とする請求項５記載のプリントコイル基板。
【請求項８】
各層に形成するコイルパターンを、対物レンズを搭載したレンズ枠をフォーカス方向に推力を発生させるフォーカス用のコイルパターンと、前記レンズ枠を傾ける推力を発生させるチルト用のコイルパターンを重ねて配置し、前記フォーカスおよび前記チルト用のコイルパターンの少なくとも一部に最外層のランド部と重ねて配置したことを特徴とする請求項５記載のプリントコイル基板。
【請求項９】
前記ランド部に、他の層のコイルパターンと重ならない領域を設け、前記ランド部の前記コイルパターンと重ならない領域にコンタクトプローブを押圧して検査することを特徴とする請求項１記載のプリントコイル基板。
【請求項１０】
請求項１〜９のいずれか１項に記載のプリントコイル基板と、対物レンズを駆動する前記プリントコイル基板を設けたレンズ枠と、磁石を搭載したベースとを備えたことを特徴とする対物レンズ駆動装置。
【請求項１１】
前記レンズ枠のプリントコイル基板を取り付ける方向の幅が、前記プリントコイル基板上の両端部に配設したランド部間の幅より小さく、かつ前記レンズ枠と前記プリントコイル基板の取り付け時には磁石側の面と反対側に前記ランド部を配置したことを特徴とする請求項１０記載の対物レンズ駆動装置。
【請求項１２】
前記レンズ枠を挟んで両側に配置したプリントコイル基板上のそれぞれのランド部を略１列に並べたことを特徴とする請求項１０に記載の対物レンズ駆動装置。
【請求項１３】
請求項１０〜１２のいずれか１項に記載の対物レンズ駆動装置を用いて、光情報記録媒体上に情報の記録，再生および消去を行うための光束を収束させることを特徴とする光ピックアップ。
【請求項１４】
請求項１３記載の光ピックアップを用いて、光情報記録媒体に対する情報の記録，再生および消去の少なくともいずれか１以上を行うことを特徴とする光ディスク装置。
【発明の詳細な説明】
【技術分野】
【０００１】
本発明は、対物レンズを駆動するレンズ枠に設けるプリントコイル基板において、複数の各層に形成されるコイルパターンを異なる配置として小型，軽量化を行い、これを用いる対物レンズ駆動装置，光ピックアップ，光ディスク装置の性能向上を図ったプリントコイル基板，対物レンズ駆動装置および光ピックアップ並びに光ディスク装置に関するものである。
【背景技術】
【０００２】
電磁力によって駆動される対物レンズ駆動装置において、絶縁被膜処理を施したワイヤを渦巻き状に巻いてコイルを形成し、このコイルに流す電流の向きとその大小によって、光ディスクの対物レンズを駆動させている。
【０００３】
図３２はワイヤを巻いて作製したコイルを対物レンズ枠に取り付けた対物レンズ駆動装置の概略を示す斜視図である。図３２において、１はベース、２はヨーク、３は磁石、４は対物レンズ、５はレンズ枠、６は支持ワイヤであり、矢印Ｆｏはフォーカス方向、矢印Ｔｒはトラック方向を示す。
【０００４】
また、図３３は図３２の対物レンズ駆動装置から磁石を除いた状態を示す図である。図３４，図３５（ａ），（ｂ）に示すように、多極に着磁された磁石の磁極をまたいで、コイル（フォーカスコイル７，トラッキングコイル８）が配置される。そして、図３６，図３７に示すように、フレミング左手の法則にしたがって、電流を流す向きと大きさによって推力が発生する。
【０００５】
しかし、ワイヤを巻き付けたコイルを対物レンズ４のレンズ枠５に取り付ける作業は煩雑であるために、ワイヤを巻き付けたコイルに代わって、渦巻き状のコイルパターンを形成したプリントコイル基板により、ワイヤを巻き付けて作製したコイルと同じ機能をさせるプリントコイル基板を巻き線コイルに変えて取り付ける方法が知られている。
【０００６】
そして、特許文献１には、複数層で構成されるプリントコイル基板において、各層をスルーホールめっきにより接続することによって補強され薄型，軽量化できると共に、このスルーホールめっきが各層、すなわちフォーカシングおよびトラッキングの方向の異なる推力による振動を防止できることが記載されている。
【０００７】
また、特許文献２には、プリントコイル基板にコイル間を横切って補強線を設けることで、プリントコイル基板を極めて薄型，軽量化できると共に、フォーカシングおよびトラッキングの方向の異なる推力による振動を防止でき、さらに補強線を配線手段として用いることが記載されている。
【０００８】
また、特許文献３には、各層で形成されるコイル間の隙間を他層のコイル間の隙間と重ならないように配置することで、プリントコイルのセンター付近が、コイルを形成する導体（銅箔）によって補強されプリントコイル自体の機械的強度があがるので、コイルをレンズホルダー補強部材として用いて、プリントコイル基板によってレンズホルダーの補強を行い小型，軽量の可動部においても不要共振のない対物レンズ駆動装置を得ることが記載されている。
【特許文献１】特開平８−２０３１０４号公報
【特許文献２】特開平８−２０３１０３号公報
【特許文献３】特開平５−１０１４２７号公報
【発明の開示】
【発明が解決しようとする課題】
【０００９】
しかしながら、このような構成対物レンズ駆動装置に用いられるプリントコイル基板は、ワイヤを巻き付けたコイルに比べ、レンズ枠への取り付けが容易になるという利点があるが、プリントコイル基板内の配線のためにプリントコイル基板が大きくなってしまい、それに伴って対物レンズ駆動部が大型化してしまうという欠点がある。
【００１０】
さらに、詳述すれば、プリントコイル基板に形成したコイルパターンに半田付けをするためのランド部を設けなくてはならなず、そのために図３８，図３９に示すように、プリントコイル基板９を大きくせざるを得ず、レイアウト上の問題となる。また、プリントコイル基板の重量が増して、対物レンズ駆動装置の共振特性や加速度感度を劣化させてしまう。
【００１１】
また、プリントコイル基板９は、コイルパターン１１とランド部１０を同一層上に重複して設けることはできず、そのため、同一層のランド部１０とコイルパターン１１の配置の制約からプリントコイル基板９が大型化する。
【００１２】
また、構成するプリントコイル基板９の層数が偶数であれば、図４０の模式図に示すように、コイルパターン１１の内側の末端同士をスルーホール１２でつないで、コイルパターン１１の外側に配線できるが、奇数の場合には一方の末端が、コイルパターン１１の内側に位置して、ランド部１０と配線できないため層数に制約があり、さらに、ランド部１０を持つ層と隣接するランド部１０を持たない層とのコイルパターン１１の接続を行う際に、コイルパターン１１の配線が複雑になってしまう。
【００１３】
また、プリントコイル基板９の完成後、検査のためにコンタクトプローブを押圧して、その抵抗値やインダクタンスなどを測定するが、ランド部１０とコイルパターン１１が重なっていると、コンタクトプローブをランド部１０に押し当てたときに、ランド部１０を持つ層と隣接するランド部１０を持たない層の間にある絶縁層を突き破り、ランド部１０と隣接層のコイルパターン１１とがショートする可能性があるという問題があった。
【００１４】
本発明は、前記従来技術の問題を解決することに指向するものであり、プリントコイル基盤を小型，軽量化し、これを用いた対物レンズ駆動装置の配線や組み付け効率を向上して、さらに、これを備えた光ピックアップおよび光ディスク装置において周辺の設計自由度を増して小型化と性能向上を図ったプリントコイル基板，対物レンズ駆動装置および光ピックアップ並びに光ディスク装置を提供することを目的とする。
【課題を解決するための手段】
【００１５】
この目的を達成するために、本発明に係る請求項１に記載されたプリントコイル基板は、対物レンズを駆動するためレンズ枠に備え、複数の各層に形成した渦巻き状のコイルパターンの末端と接続するランド部を最外層に設けたプリントコイル基板において、ランド部を持つ層と、ランド部を持たない層とを、ランド部と別層のコイルパターンが重なるように、絶縁層を挟みかつ各層を垂直な方向に重ねて配置された構成によって、ランド部の配置領域のためにプリントコイル基板が大型化することを防ぎ、必要なスペースを小さくできる。
【００１６】
また、請求項２〜４に記載されたプリントコイル基板は、請求項１のプリントコイル基板であって、ランド部を持つ層に形成したコイルパターンを、隣接する層に形成したコイルパターンよりも小さくしたこと、また、コイルパターンが、駆動に無効な部分の少なくとも一部の線幅と、駆動に有効な部分の線幅とが異なること、また、コイルパターンが、５つ以上の辺を持つ多辺形形状として、ランド部の配設位置を避けて形成した構成によって、磁石から最も遠い最外層のコイルパターンを小さくして、推力の低下の影響を抑え、プリントコイル基板の面積を小さくでき、また、ランド部を回避したコイルパターン部分の線幅を広げ、コイルパターンの抵抗値を小さくでき、また、ランド部を回避したコイルパターンの抵抗値を変更することなく配線できる。
【００１７】
また、請求項５に記載されたプリントコイル基板は、請求項１に記載のプリントコイル基板であって、コイルパターンを形成した層数を奇数で構成し、コイルパターン内側の末端を、ランド部を持つ層とスルーホールを介して、ランド部を持つ層上でランド部と接続した構成によって、渦巻き状のコイルパターンにおいてもコイルを形成でき設計の自由度を広げることができる。
【００１８】
また、請求項６，７に記載されたプリントコイル基板は、請求項５のプリントコイル基板であって、ランド部を持つ層上でランド部と重複する位置に形成のコイルパターンを奇数の層数で構成し、ランド部と重複しない位置に形成のコイルパターンを偶数の層数で構成したこと、さらに、同一層に形成したコイルパターン同士を接続する場合に、ランド部を持つ最外層においてコイルパターン内側の末端とランド部間を接続した構成によって、磁石から最も遠い最外層をランド部とランド部への配線に用いて、プリントコイル基盤の各層との配線が容易にでき、渦巻き状のコイルパターンの層数が奇数であってもコイルパターンの内外両側の末端がランド部に配線されるコイルを形成できる。
【００１９】
また、請求項８に記載されたプリントコイル基板は、請求項５のプリントコイル基板であって、各層に形成するコイルパターンを、対物レンズを搭載したレンズ枠をフォーカス方向に推力を発生させるフォーカス用のコイルパターンと、レンズ枠を傾ける推力を発生させるチルト用のコイルパターンとを重ねて配置し、フォーカスおよびチルト用のコイルパターンの少なくとも一部に最外層のランド部と重ねて配置した構成によって、チルト駆動を制御するコイルパターンを配置してチルト駆動を合わせて行うことができる。
【００２０】
また、請求項９に記載されたプリントコイル基板は、請求項１のプリントコイル基板であって、ランド部に、他の層のコイルパターンと重ならない領域を設け、ランド部のコイルパターンと重ならない領域にコンタクトプローブを押圧して検査する構成によって、検査時のコンタクトプローブによりランド部とコイルパターンをショートさせる故障を防ぐことができる。
【００２１】
また、請求項１０〜１２に記載された対物レンズ駆動装置は、請求項１〜９のいずれか１項に記載のプリントコイル基板と、対物レンズを駆動するプリントコイル基板を設けたレンズ枠と、磁石を搭載したベースとを備え、さらに、レンズ枠のプリントコイル基板を取り付ける方向の幅が、プリントコイル基板上の両端部に配設したランド部間の幅より小さく、かつレンズ枠とプリントコイル基板の取り付け時には磁石側の面と反対側にランド部を配置したこと、さらに、レンズ枠を挟んで両側に配置したプリントコイル基板上のそれぞれのランド部を略１列に並べた構成によって、プリントコイル基板を小型，軽量化に伴って、対物レンズ駆動装置の共振特性、加速度感度を改善し、プリントコイル基板へレンズ枠を取り付け後の配線作業、あるいは中継基板上のランド部との合わせ半田の接続を容易とし、作業効率的に行うことができる。
【００２２】
また、請求項１３に記載された光ピックアップは、請求項１０〜１２のいずれか１項に記載の対物レンズ駆動装置を用いて、光情報記録媒体上に情報の記録，再生および消去を行うための光束を収束した構成によって、光ピックアップ内の対物レンズ駆動装置周辺の設計自由度が増し、コストダウン，小型化を図ることができる。
【００２３】
また、請求項１４に記載された光ディスク装置は、請求項１３記載の光ピックアップを用いて、光情報記録媒体に対する情報の記録，再生および消去の少なくともいずれか１以上を行う構成によって、小型化された光ピックアップによりそれを含む光ディスク装置の性能向上やコストダウンを図ることができる。
【発明の効果】
【００２４】
以上説明したように、本発明によれば、プリントコイル基盤を用いる対物レンズ駆動装置の設計自由度を上げ、かつプリントコイル基板の反りの影響を小さくして各層との配線を容易とし、また、磁石から最も遠い最外層のコイルパターンを小さくして推力の低下の影響を抑え、プリントコイル基板の面積を小さくでき、さらに、チルト駆動制御のコイルパターンを配置しチルト駆動を合わせて行うこと、ランド部にコンタクトプローブを押圧する検査時にランド部とコイルパターンをショートさせる故障を防ぎ、さらに、プリントコイル基板を小型，軽量化により対物レンズ駆動装置の共振特性、加速度感度を改善して、プリントコイル基板とレンズ枠の取り付け後の配線作業、中継基板上のランド部との合わせ半田の接続を容易で効率的にでき、また、光ピックアップを小型化し、これを含む光ディスク装置の性能向上やコストダウンをも図ることができるという効果を奏する。
【発明を実施するための最良の形態】
【００２５】
以下、図面を参照して本発明における実施の形態を詳細に説明する。
【００２６】
図１は本発明の実施の形態１におけるプリントコイル基板の一部分でランド部とコイルパターンの関係を示す図である。ここで、前記従来例を示す図３８において説明した構成部材に対応し実質的に同等の機能を有するものには同一の符号を付してこれを示し、また以下の各図においても同様とする。
【００２７】
図１において、９はプリントコイル基板、１０はランド部、１１は隣接層のコイルパターンである。従来の図３８または図３９に示すように、プリントコイル基板９の最外層に外部と接続する半田付けを行うためのランド部１０を設けるが、ランド部１０をコイルパターン１１と重ならないようにすると、コイルパターン１１の外側にランド部１０を設けねばならず、基板面積を広げざるを得ない。
【００２８】
そこで、本実施の形態１においては基板面積が広がらないように、図１に示すように、最外層に設けたランド部１０が、隣接する層に設けられたコイルパターン１１に重なるように配置する。コイルパターン１１とランド部１０のパターンを重ねて配置するので、図３８または図３９のように基板が大型化することを防ぐことができる。
【００２９】
また、図２，図３は２層構成のプリントコイル基板の１層目，２層目の各層を示す図である。図２はランド部を持つ層、図３は図２に示す層に重なるもう一方の層を示しており、各層はスルーホール１２により配線され２つの層を合わせて各層間に絶縁層（図示せず）を挟み１つのプリントコイル基板９を形成する。この場合、ランド部１０を設けた最外層（１層目）のコイルパターン１１と、それに隣接する層（２層目）のコイルパターン１１の大きさを変える。例えば、図２に示すように、ランド部１０を持つ層のコイルパターン１１は、同層内で、ランド部１０のパターンと重複しないように、（上下方向）幅を小さくしている。また、隣接するランド部１０を持たない層では、隣接層のランド部１０と重なるようにすれば、コイルパターン１１の長さを充分に取ることができる。
【００３０】
なお、図２に示す例では、上下方向の寸法を小さくしているが、左右方向の寸法を小さくすることも考えられる。ランド部１０を持つ層には、最善の形状にコイルパターン１１を形成することはできないものの、別の層（磁石に近い側に位置する隣接層（図３に示す２層目）にコイルパターン１１の線幅を細くしてより多くの巻き数を確保する等をすることで、推力の低下を抑えることもできる。
【００３１】
また、図４，図５は本実施の形態１の実施例１におけるプリントコイル基板９のフォーカスコイルパターン１３を示す図である。このようにランド部１０とランド部１０の間隔が開いている場合には、駆動に有効でない部分（図３６に示すようなコイルパターンと磁石の磁束の関係から、ランド部１０間の縦方向の導線）のパターン幅を変えて、駆動に有効でない部分の線幅を太くする。これにより、フォーカスコイルパターン１３の駆動に有効でない部分で、電気抵抗値を下げることができる。実際に駆動に有効な部分（図４の横方向の導線）の線幅を細くして、限られた面積により多くの（コイルパターンを形成する）導線を配置したとしても、先の太くした導線によりコイル全体の抵抗値の上昇を抑えることができる。よって、ランド部１０のために駆動に有効な部分が短くなってしまった分を補うために導線の線数を増やすことができる。
【００３２】
なお、ランド部１０を持たない隣接層では、図５に示すように、ランド部１０を設ける必要がないので、ランド部１０と重なる位置にも、本来の理想的なフォーカスコイルパターン１３を配置することができる。
【００３３】
図６，図７は本実施の形態１の実施例２におけるプリントコイル基板９のフォーカスコイルパターン１３を示す図である。ランド部１０を持つ最外層（１層目）のフォーカスコイルパターン１３を、一般的な略矩形形状ではなく辺を５つ以上持つ多辺形としてランド部１０を回避する形状とする。例えば図６に示すように、ランド部１０を持つ最外層において、ランド部１０に近い部分のフォーカスコイルパターン１３は、横向きの凸字型にして２つのランド部１０を回避する形状にする。
【００３４】
破線で囲まれた部分Ａは、対向する磁石の磁束密度が略最大となる理想の位置から外れていて効率は悪いものの推力を発生させることができる。また、フォーカスコイルパターン１３の全線長は矩形型の場合と変わらず、電気抵抗値を特別に増加させることはない。
【００３５】
さらに、隣接する層（２層目）では、前述の実施例１と同様に、ランド部１０を設ける必要がないので、図７に示すようにランド部１０と重なる位置に、本来の理想的なフォーカスコイルパターン１３を配置することができる。
【００３６】
次に、本発明の実施の形態２について図８〜図１３を参照しながら説明する。プリントコイル基板９において同一層内では、コイルパターン１１は重なり合うことができないために、渦巻き状のコイルパターン１１の外側と内側の末端部を同一層上で各ランド部１０に配線することができない。そのため、図４０の層間のコイルパターン１１の配線を示す模式図のように、２層を１組として、コイルパターン１１の内側の末端部同士をスルーホール１２でつなげ、各層の２つのコイルパターン１１は、それぞれの外側の末端とランド部１０を配線している。そのため、コイルを形成するには偶数の層が必要になる。
【００３７】
そこで、プリントコイル基板９の層数が１つでよい場合は、図８に示す１層目と図９に示す２層目間でスルーホール１２により、コイルパターン内側の末端を、ランド部を持つ最外層とつなぎ、その最外層での配線パターンによりランド部１０につなぐ。したがって、スルーホールの１２Ａと１２Ａ’，１２Ｂと１２Ｂ’，１２Ｃと１２Ｃ’，１２Ｄと１２Ｄ’が電気的に接続され、それぞれのコイルパターンの末端はランド部に接続されコイルを形成する。
【００３８】
また、コイルパターン１１の層数を３層のプリントコイル基板９を形成させたい場合は、図１０〜図１３に示す１〜４層目のように各層を構成する。図１０に示す１層目が、ランド部を持つ層で、それに隣接する層が図１１である。ランド部を持つ層と反対側の最外層が図１３に示す層である。それぞれスルーホール１２は図中に示す同じアルファベットで「 '」のあるものとないもの同士が接続される。以上のように、４層のプリントコイル基板９のうち、３つの各層にコイルパターン１１を設け、ランド部１０を備えた一層は、ランド部１０とスルーホール１２との配線に用いられる。
【００３９】
なお、図８，図１０のようにランド部１０を設けた最外層には、コイルパターン１１を形成しないで配線のみとする。そして、ランド部１０を持つ層は磁石から遠い側の層としておけば、磁力の損失を防ぐことができる。また、ランド部１０を持つ層を含む２層にコイルパターン１１を形成していた場合に比べてコイルパターン１１の全線長は短くなるので、コイルパターン１１の幅を狭めて、同じ面積により多くの巻き数を得られるようにすることで、推力の低下を抑えることができる。
【００４０】
図１４，図１５は本実施の形態２の実施例１におけるプリントコイル基板に、ランド部と重複するコイルパターンと重複しないコイルパターンが配置される例を示す図である。ランド部１０と位置が重複するコイルパターン（フォーカスコイルパターン１３）は１つの層（２層目のみ）に形成し、ランド部１０と位置が重複しないコイルパターン（トラッキングコイルパターン１４）は２つの層（１，２層目の両方）に形成する。図１４，図１５中のトラッキングコイルパターン１４は、ランド部１０と重複しているので、１つの層（奇数）のみでパターンを形成し、フォーカスコイルパターン１３はランド部と重複していないので、２つの層（偶数）に略同じ大きさのフォーカスコイルパターン１３の末端をコイルパターン内側のスルーホール１２により接続し、コイルパターン外側をランド部１０に配線する。
【００４１】
図１６，図１７は本実施の形態２の実施例２におけるプリントコイル基板の中央部に２層構成のトラッキングコイルパターン１４、両側部に１層構成のフォーカスコイルパターン１３を配置した配線例を示す図である。ランド部１０を持つ層（１層目）にコイルパターン内側の末端同士をつなぐ配線と、スルーホール１２を介して、コイルパターン外側の末端をランド部１０につなぐ配線例を示している。
【００４２】
１つの層に形成され同じ方向に推力が発生するコイルパターン同士をつなぐ場合、コイルパターン内側の末端同士をつなぐと、図１６，図１７に示すようにスルーホール１２が６つ必要になるが、図１８，図１９に示すように、コイルパターン内側のスルーホール１２とランド部１０をつなぐように配線し、隣接する層でコイルパターン外側の末端同士を接続するように配線すると、スルーホール１２を４つに減らすことができる。これにより、スルーホール１２のために基板面積を割く必要がなく、ランド部、コイルパターン、スルーホール間の配線が少なくなるために、プリントコイル基板９の設計も容易になる。
【００４３】
本実施例２ではフォーカスコイルパターン１３が１層で構成される場合について述べたが、３層で構成する場合には、ランド部を持つ層では、フォーカスコイルパターン１３内側のスルーホール１２からランド部へ配線しないと、ランド部と反対側の最外層において、フォーカスコイルパターン同士をつなぐことができなくなる。
【００４４】
本発明の実施の形態３は、前述した実施の形態２の図１４，図１５に示すようにプリントコイル基板にフォーカスコイルパターンとトラッキングコイルパターンだけではなく、図２０〜図２３に示す層構成によりチルトコイルパターン１５を設けて構成したものである。図２０がランド部１０を持つ最外層で、図２０，図２１，図２２，図２３の順に重なってプリントコイル基板９を構成しているものとする。図２０のＴがトラッキングコイルパターン１４につながるランド部１０、Ｆがフォーカスコイルパターン１３につながるランド部１０、Ｒがチルトコイルパターン１５につながるランド部１０を示している。
【００４５】
光ディスクの傾きに応じて、レンズ枠を傾ける推力を発生させるチルトコイルパターン１５を設けた場合に、図２２，図２３に示すように磁石に近い側の２つの層（３，４層目）に、フォーカスコイルパターン１３を配置し、図２１に示すようにフォーカスコイルパターン１３を配した層とランド部１０を配した層の間の層（２層目）にチルトコイルパターン１５を配置する。トラッキングコイルパターン１４は、ランド部１０や配線の邪魔にならないので、すべての層に１つずつ配置した例を示している。
【００４６】
レンズ枠の１つのプリントコイル基板９内で別方向に推力を発生させるとラジアルチルトが発生し、それぞれのプリントコイル基板９で別方向に推力を発生させるとタンジェンシャルチルトが発生する。それぞれのプリントコイル基板９ごとにフォーカスコイルパターン１３による推力を制御することで、タンジェンシャルチルトを発生させ、チルトコイルパターン１５の推力でラジアルチルトを発生させるようにすれば、２方向のチルト制御を行うこともできる。
【００４７】
また、ランド部１０を配置してもプリントコイル基板９の面積に余裕がある場合には、図２０に示すように、ランド部１０を持つ層にもトラッキングコイルパターン１４を配置して４層にしてもよい。なお、フォーカスに比べて、チルトに必要な推力は小さいので、ほとんど問題にならない。
【００４８】
本発明の実施の形態４は、前述した各実施の形態で説明したプリントコイル基板の検査において、コンタクトプローブをランド部に押圧する位置を、ランド部を持つ層と隣接するランド部を持たない層に形成したコイルパターンとが重ならないように構成したものである。例えば、図２４のようにランド部１０の面積を広げて、コンタクトプローブを押圧する部分が隣接層のコイルパターン１１と重ならないように配置する（図２４中の黒丸点はコンタクトプローブを押圧される接続点１６を示す）。
【００４９】
あるいは、図２５に示すようにランド部１０の形状の一部を隣接層のコイルパターン１１を避けるように突出するように形成して、この突出した部分にコンタクトプローブを押圧させて検査するようにしてもよい。
【００５０】
以上のように構成することで、コイルパターン１１の重ならない部分で、ランド部にコンタクトプローブを押圧するので、例え絶縁層を突き破ったとしても、その部分だけで、その範囲が狭ければ、層間においての導体接触は起こらず、使用上の問題は発生しない。
【００５１】
本発明の実施の形態５は、前述した各実施の形態において説明したプリントコイル基板を用いる対物レンズ駆動装置であり、レンズ枠にプリントコイル基板を取り付けて磁気回路中に保持されるように構成する。この対物レンズ駆動装置においては、巻き線により作られたコイルを取り付けた場合と同様に電流を流す向きや、大きさによって推力の方向と大きさを制御することができる。プリントコイル基板は巻き線コイルに比べ、レンズ枠への組み付け性がよく軽量である。
【００５２】
図２４に示すようにランド部１０とコイルパターン１１を重ねて配置することにより、プリントコイル基板９を小型化しているので、可動部をさらに軽量化することができ、加速度特性や共振特性が改善される。また、プリントコイル基板がレンズ枠から突出する量が少ないため、対物レンズ駆動装置を構成する他の要素の設計自由度が上がる。
【００５３】
図２６に示すように、プリントコイル基板９に配置したランド部１０の両側の間隔よりも、レンズ枠５の幅が小さくなるようにする。レンズ枠５にプリントコイル基板９を取り付けてから、プリントコイル基板９のランド部１０とサスペンションやもう一方のプリントコイル基板９とを電気的に接続する。また、対物レンズの直径が大きいなどの理由で、レンズ枠５の幅を小さくすることができない場合は、図２７に示すように、レンズ枠５の四隅端部に面取りなどをしてランド部１０がレンズ枠５に隠れないようにする。
【００５４】
また、図２８に示すようにプリントコイル基板９上のランド部１０が略一列に近接して並ぶように配置する。これにより、レンズ枠５の別の側面に取り付けた中継基板１７と合わせ半田部１８で接続することができる。中継基板１７でプリントコイル基板９との接続を行わないリード線による接続であっても、ランド部１０の位置がずれていないほうが作業しやすく、配線作業を効率的に行うことができる。
【００５５】
さらに、図２９に示すように左右のそれぞれランド部１０の位置が離れているよりも、図３０に示すように近接して配置させたほうが、作業範囲が狭く半田付け等の作業を行いやすい。また、プリントコイル基板９間をつないだり、プリントコイル基板９とサスペンションをつないだりする中継基板１７を小型化することもでき、可動部の軽量化をすることにつながる。
【００５６】
本発明の実施の形態６は、前述した実施の形態５において説明した実施の形態１〜４のプリントコイル基板をレンズ枠に取り付けた対物レンズ駆動装置（図３２に示すレンズ枠５，フォーカスコイル７，トラッキングコイル８に代えて図３０に示すレンズ枠５，プリントコイル基板９としたもの）を搭載した光ピックアップである。この構成によって、本実施の形態６の光ピックアップは、小型，軽量化と共に他の部品配置等も自由に行うことが可能な光ピックアップを構成することができる。
【００５７】
また、図３１は本発明の実施の形態７における光ディスク装置の概略構成を示す透過斜視図である。図３１に示すように、光ディスク装置２０は、光ディスク２１の半径方向に対してキャリッジ２２によって移動される光ピックアップ２３を用いて、情報の記録，再生，消去の少なくともいずれか１以上を行う装置である。本実施の形態７において、光ディスク２１は、保護ケースのカートリッジ２４内に格納されている。例えば、光ディスク２１はカートリッジ２４ごと、挿入口２５から光ディスク装置２０に矢印「ディスク挿入」方向へ挿入セットされ、スピンドルモータ２６により回転駆動され、光ピックアップ２３により情報の記録や再生、あるいは消去が行われる。
【００５８】
図３１に示す光ディスク装置２０に前述した実施の形態６のような光ピックアップを適宜用いることで、光ピックアップからの信号により情報の記録，再生および消去の少なくともいずれか１つを行う光ディスク装置によって光ディスクへのアクセスを高速に安定して行うことができる。
【００５９】
本発明の実施の形態７として、前述の実施の形態１〜５のプリントコイル基板を用いた対物レンズ駆動装置を備えた光ピックアップを搭載したディスク装置を構成することで、対物レンズの稼働状態が安定して、光軸が安定することから光ディスクのトラックに追従する動作等の制御の負荷を低減して、性能向上やコストダウンを図ることができる。
【産業上の利用可能性】
【００６０】
本発明に係るプリントコイル基板，対物レンズ駆動装置および光ピックアップ並びに光ディスク装置は、プリントコイル基板を用いる対物レンズ駆動装置の設計自由度を上げ、かつ各層との配線を容易とし、また、磁石から最も遠い最外層のコイルパターンを小さくして推力の低下の影響を抑えて面積を小さくし、さらに、チルト駆動も合わせて行うことやランド部のコンタクトプローブの押圧で検査時にショートする故障を防ぎ、対物レンズ駆動装置の共振特性、加速度感度を改善、およびプリントコイル基板の取り付け後の配線作業、中継基板上のランド部との合わせ半田の接続を容易で効率的にでき、これを用いる対物レンズ駆動装置，光ピックアップ，光ディスク装置の性能向上に有用である。
【図面の簡単な説明】
【００６１】
【図１】本発明の実施の形態１におけるプリントコイル基板の一部分でランド部とコイルパターンの関係を示す図
【図２】本実施の形態１における２層構成のプリントコイル基板の１層目のランド部を持つ層を示す図
【図３】本実施の形態１における２層構成のプリントコイル基板の２層目のランド部を持たない層を示す図
【図４】本実施の形態１の実施例１におけるプリントコイル基板の１層目のフォーカスコイルパターンを示す図
【図５】本実施の形態１の実施例１におけるプリントコイル基板の２層目のフォーカスコイルパターンを示す図
【図６】本実施の形態１の実施例２におけるプリントコイル基板の１層目のフォーカスコイルパターンを示す図
【図７】本実施の形態１の実施例２におけるプリントコイル基板の２層目のフォーカスコイルパターンを示す図
【図８】本発明の実施の形態２の２層プリントコイル基板の１層目のランド部とスルーホールを示す図
【図９】本発明の実施の形態２の２層プリントコイル基板の２層目のコイルパターンとスルーホールを示す図
【図１０】本発明の実施の形態２の４層プリントコイル基板の１層目のランド部とスルーホールを示す図
【図１１】本発明の実施の形態２の４層プリントコイル基板の２層目のコイルパターンとスルーホールを示す図
【図１２】本発明の実施の形態２の４層プリントコイル基板の３層目のコイルパターンとスルーホールを示す図
【図１３】本発明の実施の形態２の４層プリントコイル基板の４層目のコイルパターンとスルーホールを示す図
【図１４】本実施の形態２の実施例１におけるプリントコイル基板の１層目のランド部とフォーカスコイルパターンとトラッキングコイルパターンを示す図
【図１５】本実施の形態２の実施例１におけるプリントコイル基板の２層目のランド部とフォーカスコイルパターンとトラッキングコイルパターンを示す図
【図１６】本実施の形態２の実施例２におけるプリントコイル基板の１層目にランド部とトラッキングコイルパターンの配線例を示す図
【図１７】本実施の形態２の実施例２におけるプリントコイル基板の２層目にトラッキングコイルパターンとフォーカスコイルパターンの配線例を示す図
【図１８】本実施の形態２の実施例２におけるプリントコイル基板の１層目にランド部とトラッキングコイルパターンの他の配線例を示す図
【図１９】本実施の形態２の実施例２におけるプリントコイル基板の２層目にトラッキングコイルパターンとフォーカスコイルパターンの他の配線例を示す図
【図２０】本発明の実施の形態３におけるプリントコイル基板の１層目のランド部とトラッキングコイルパターンを示す図
【図２１】本発明の実施の形態３におけるプリントコイル基板の２層目のチルトコイルパターンとトラッキングコイルパターンを示す図
【図２２】本発明の実施の形態３におけるプリントコイル基板の３層目のフォーカスコイルパターンとトラッキングコイルパターンを示す図
【図２３】本発明の実施の形態３におけるプリントコイル基板の４層目のフォーカスコイルパターンとトラッキングコイルパターンを示す図
【図２４】本発明の実施の形態４におけるプリントコイル基板のランド部の構成を説明する図
【図２５】本発明の実施の形態４におけるプリントコイル基板の他のランド部の構成を説明する図
【図２６】本発明の実施の形態５におけるプリントコイル基板を用いる対物レンズ駆動装置のレンズ枠部分を示す斜視図
【図２７】本発明の実施の形態５におけるプリントコイル基板を用いる対物レンズ駆動装置の他のレンズ枠部分を示す斜視図
【図２８】本発明の実施の形態５におけるプリントコイル基板と中継基板との合わせ半田部を示す斜視図
【図２９】本発明の実施の形態５におけるプリントコイル基板と中継基板との他の合わせ半田部を示す斜視図
【図３０】本発明の実施の形態５における各実施の形態のプリントコイル基板のランド部と対物レンズ駆動装置の中継基板を示す斜視図
【図３１】本発明の実施の形態７における光ディスク装置の概略構成を示す透過斜視図
【図３２】対物レンズ駆動装置の概略を示す斜視図
【図３３】対物レンズ駆動装置の磁石を除いた斜視図
【図３４】対物レンズ駆動装置のコイルと磁極の配置例を示す図
【図３５】対物レンズ駆動装置のコイルと磁極の別の配置例（ａ），（ｂ）を示す図
【図３６】対物レンズ駆動装置のコイルに発生の推力を説明する図
【図３７】対物レンズ駆動装置のコイルに発生の別の推力を説明する図
【図３８】従来のプリントコイル基板のコイルパターンとランド部の配置を示す図
【図３９】従来のプリントコイル基板の別のコイルパターンとランド部の配置を示す図
【図４０】多層のプリントコイル基板における層間のコイルパターンの配線を説明する図
【符号の説明】
【００６２】
１  ベース
２  ヨーク
３  磁石
４  対物レンズ
５  レンズ枠
６  支持ワイヤ
７  フォーカスコイル
８  トラッキングコイル
９  プリントコイル基板
１０  ランド部
１１  コイルパターン
１２  スルーホール
１３  フォーカスコイルパターン
１４  トラッキングコイルパターン
１５  チルトコイルパターン
１６  コンタクトプローブの接続点
１７  中継基板
１８  合わせ半田部
２０  光ディスク装置
２１  光ディスク
２２  キャリッジ
２３  光ピックアップ
２４  カートリッジ
２５  挿入口
２６  スピンドルモータ
【図１】
2005166219.tif 000003
【図２】
2005166219.tif 000004
【図３】
2005166219.tif 000005
【図４】
2005166219.tif 000006
【図５】
2005166219.tif 000007
【図６】
2005166219.tif 000008
【図７】
2005166219.tif 000009
【図８】
2005166219.tif 000010
【図９】
2005166219.tif 000011
【図１０】
2005166219.tif 000012
【図１１】
2005166219.tif 000013
【図１２】
2005166219.tif 000014
【図１３】
2005166219.tif 000015
【図１４】
2005166219.tif 000016
【図１５】
2005166219.tif 000017
【図１６】
2005166219.tif 000018
【図１７】
2005166219.tif 000019
【図１８】
2005166219.tif 000020
【図１９】
2005166219.tif 000021
【図２０】
2005166219.tif 000022
【図２１】
2005166219.tif 000023
【図２２】
2005166219.tif 000024
【図２３】
2005166219.tif 000025
【図２４】
2005166219.tif 000026
【図２５】
2005166219.tif 000027
【図２６】
2005166219.tif 000028
【図２７】
2005166219.tif 000029
【図２８】
2005166219.tif 000030
【図２９】
2005166219.tif 000031
【図３０】
2005166219.tif 000032
【図３１】
2005166219.tif 000033
【図３２】
2005166219.tif 000034
【図３３】
2005166219.tif 000035
【図３４】
2005166219.tif 000036
【図３５】
2005166219.tif 000037
【図３６】
2005166219.tif 000038
【図３７】
2005166219.tif 000039
【図３８】
2005166219.tif 000040
【図３９】
2005166219.tif 000041
【図４０】
2005166219.tif 000042